(57)【要約】【課題】  五線譜を参照して移調楽器及び五線譜以外の記譜法による楽器を演奏することを支援するのに好適な音階変換表を提供する。【解決手段】  音階変換表は、白鍵４１及び黒鍵４２を配列した鍵盤図４０と、鍵盤図４０の音階方向に沿って三味線の各糸にそれぞれ対応する記入領域３１〜３３が配置された弦図３０と、幹音及び勘所番号を対応させて記入する区画６４、６５を有する音階対応記入表６０とを備え、記入領域３１〜３３は、鍵盤図４０の各鍵盤に対応させて勘所番号を記入する区画３４を有し、幹音の区画３４と派生音の区画３４とは表示態様が異なっている。これにより、鍵盤図４０の各鍵盤に対応させて区画３４に勘所番号を記入することにより鍵盤の音と勘所の対応関係を把握することができる。また、幹音と派生音で区画３４の表示態様が異なるので、幹音に対応する勘所を派生音と区別して把握することができる。【選択図】  図１
2019120775.tif 000002
【特許請求の範囲】
【請求項１】
五線譜で表現可能な各音に対応させて楽器のキー識別情報を記入する区画を備え、音階を構成する音階構成音に対応する前記区画と、前記音階構成音以外の音階非構成音に対応する前記区画とは表示態様が異なっていることを特徴とする音階変換表。
【請求項２】
鍵盤図と、
前記鍵盤図の音階方向に沿って記入領域が配置されたキー図とを備え、
前記記入領域は、前記鍵盤図の各鍵盤に対応させて楽器のキー識別情報を記入する区画を有し、前記鍵盤図の鍵盤のうち音階を構成する音階構成音の鍵盤に対応する前記区画と、前記鍵盤図の鍵盤のうち前記音階構成音以外の音階非構成音の鍵盤に対応する前記区画とは表示態様が異なっていることを特徴とする音階変換表。
【請求項３】
請求項２において、
前記音階構成音を記入する区画と、これに対応させて前記キー識別情報を記入する区画とを有する音階対応記入表を備えることを特徴とする音階変換表。
【請求項４】
請求項２及び３のいずれか１項において、
前記鍵盤図の各鍵盤に対応させて当該鍵盤の音の音符が配置された五線譜を備えることを特徴とする音階変換表。
【発明の詳細な説明】
【技術分野】
【０００１】
本発明は、音階を変換する音階変換表に係り、特に、五線譜を参照して移調楽器及び五線譜以外の記譜法による楽器を演奏することを支援するのに好適な音階変換表に関する。
【背景技術】
【０００２】
従来、三味線の楽譜としては、例えば、特許文献１記載の楽譜が知られている。
特許文献１記載の楽譜は、三味線の３本の糸（弦）に対応する３本の平行線からなる三線数字譜を表示し、下側の第一線を三味線の一の糸に対応させ、中央の第二線を二の糸に対応させ、上側の第三線を三の糸に対応させ、各線上に勘所を数字で表示するものである。
【先行技術文献】
【特許文献】
【０００３】
【特許文献１】特開２００７−１７９２０号公報
【発明の概要】
【発明が解決しようとする課題】
【０００４】
ところで、特許文献１記載のような三味線の楽譜ではなく、五線譜を参照して三味線を演奏する場合は、次のような問題があった。
【０００５】
三味線は、楽曲ごとに調弦を行うため、五線譜上の特定の音（例えば「ド」）が常に糸の特定の勘所に対応するわけではない。楽曲ごとに勘所が異なるのである。例えば本調子の調弦では、まず、一の糸の基音を楽曲中の最も低い音又はこれよりも低い音に決定する。次に音階上４度の音に二の糸の開放弦の音を合わせる。次に音階上８度（一の糸の基音の１オクターブ上）の音に三の糸の開放弦の音を合わせる。例えば、「ド」を基音として調弦した場合、「ド」は、一の糸及び三の糸では０の勘所、二の糸では６の勘所となる。また、「シ」を基音として調弦した場合、「ド」は、一の糸及び三の糸では１の勘所、二の糸では７の勘所となる。さらに、調弦方法は、本調子だけでなく、二上り、三下り、六下り、水調子など他にも多数あり、この調弦方法によっても勘所が異なる。このように、三味線の調弦では、楽曲ごとにその楽曲の演奏に適した調弦方法及び基音を採用することから楽曲ごとに勘所が変わるため、五線譜を参照して三味線を演奏することが難しかった。
【０００６】
この問題は、三味線に限らず、弦楽器、管楽器その他の移調楽器及び五線譜以外の記譜法による楽器についても同様に想定される。
【０００７】
そこで、本発明は、このような従来の技術の有する未解決の課題に着目してなされたものであって、五線譜を参照して移調楽器及び五線譜以外の記譜法による楽器を演奏することを支援するのに好適な音階変換表を提供することを目的としている。
【課題を解決するための手段】
【０００８】
〔発明１〕  上記目的を達成するために、発明１の音階変換表は、五線譜で表現可能な各音に対応させて楽器のキー識別情報を記入する区画を備え、音階を構成する音階構成音に対応する前記区画と、前記音階構成音以外の音階非構成音に対応する前記区画とは表示態様が異なっている。
【０００９】
ここで、キー識別情報は、楽器のキー（指等で押さえて音を出すところ）を識別するための情報であって、例えば、名称、番号、ＩＤ、コード、ＵＲＬ等のリンク情報として構成することができる。また、キー識別情報は、例えば、文字、数字、図形、符合、記号、画像その他の情報として構成することができる。以下、発明２の音階変換表において同じである。
【００１０】
また、音階構成音としては、例えばハ長調の場合は「ド」「レ」「ミ」「ファ」「ソ」「ラ」「シ」（幹音）が該当する。また、例えばイ短調（自然的短音階）の場合は「ラ」「シ」「ド」「レ」「ミ」「ファ」「ソ」（幹音）が該当する。また、例えばイ短調（和声的短音階）の場合は「ラ」「シ」「ド」「レ」「ミ」「ファ」「#ソ」（幹音及び派生音）が該当する。また、例えばイ短調（旋律的短音階）の場合は上行が「ラ」「シ」「ド」「レ」「ミ」「#ファ」「#ソ」（幹音及び派生音）、下行が「ラ」「ソ」「ファ」「ミ」「レ」「ド」「シ」（幹音）が該当する。以下、発明２の音階変換表において同じである。
【００１１】
また、音階非構成音としては、例えばハ長調の場合は「＃ド」「＃レ」「＃ファ」「＃ソ」「＃ラ」（派生音）が該当する。また、例えばイ短調（自然的短音階）の場合は「＃ラ」「＃ド」「＃レ」「＃ファ」「＃ソ」（派生音）が該当する。また、例えばイ短調（和声的短音階）の場合は「＃ラ」「＃ド」「＃レ」「＃ファ」「ソ」（幹音及び派生音）が該当する。また、例えばイ短調（旋律的短音階）の場合は上行が「＃ラ」「＃ド」「＃レ」「ファ」「ソ」（幹音及び派生音）、下行が「＃ラ」「＃ソ」「＃ファ」「＃レ」「＃ド」（派生音）が該当する。以下、発明２の音階変換表において同じである。
【００１２】
〔発明２〕  さらに、発明２の音階変換表は、鍵盤図と、前記鍵盤図の音階方向に沿って記入領域が配置されたキー図とを備え、前記記入領域は、前記鍵盤図の各鍵盤に対応させて楽器のキー識別情報を記入する区画を有し、前記鍵盤図の鍵盤のうち音階を構成する音階構成音の鍵盤に対応する前記区画と、前記鍵盤図の鍵盤のうち前記音階構成音以外の音階非構成音の鍵盤に対応する前記区画とは表示態様が異なっている。
【００１３】
〔発明３〕  さらに、発明３の音階変換表は、発明２の音階変換表において、前記音階構成音を記入する区画と、これに対応させて前記キー識別情報を記入する区画とを有する音階対応記入表を備える。
【００１４】
〔発明４〕  さらに、発明４の音階変換表は、発明２及び３のいずれか１の音階変換表において、前記鍵盤図の各鍵盤に対応させて当該鍵盤の音の音符が配置された五線譜を備える。
【発明の効果】
【００１５】
以上説明したように、発明１の音階変換表によれば、キー識別情報を区画に記入することにより五線譜で表現可能な音とキーの対応関係を把握することができる。また、音階構成音と音階非構成音で区画の表示態様が異なるので、音階構成音に対応するキーを音階非構成音と区別して把握することができる。したがって、従来に比して、五線譜を参照して楽器を演奏することを支援することができる。また、初心者でも簡単に作成することができる。
【００１６】
さらに、発明２の音階変換表によれば、鍵盤図の各鍵盤に対応させてキー図の区画にキー識別情報を記入することにより鍵盤の音とキーの対応関係を把握することができる。また、音階構成音と音階非構成音で区画の表示態様が異なるので、音階構成音に対応するキーを音階非構成音と区別して把握することができる。したがって、従来に比して、五線譜を参照して楽器を演奏することを支援することができる。また、初心者でも簡単に作成することができる。
【００１７】
さらに、発明３の音階変換表によれば、音階構成音とこれに対応するキー識別情報をキー図から抽出し、音階構成音とキー識別情報を対応させて音階対応記入表に記入することにより音階構成音とキーの対応関係を把握することができる。
【００１８】
さらに、発明４の音階変換表によれば、鍵盤の音、その音階及びキーの対応関係を把握することができる。
【図面の簡単な説明】
【００１９】
【図１】ハ長調及びイ短調の音階変換表の構成を示す図である。
【図２】ハ長調及びイ短調の音階変換表の記入例を示す図である。
【図３】ト長調及びホ短調の音階変換表の構成を示す図である。
【図４】ト長調及びホ短調の音階変換表の記入例を示す図である。
【図５】ハ長調及びイ短調の五線譜を加えた音階変換表の構成を示す図である。
【発明を実施するための形態】
【００２０】
〔第１の実施の形態〕
以下、本発明の第１の実施の形態を説明する。図１及び図２は、本実施の形態を示す図である。
【００２１】
まず、本実施の形態の構成を説明する。
図１は、ハ長調及びイ短調の音階変換表の構成を示す図である。
【００２２】
音階変換表は、音階を三味線の文化譜勘所番号（以下単に「勘所番号」という。）に変換するのに用いられるものであって、例えば紙等の印刷媒体からなる。音階変換表は、調ごとに構成される。長音階の各調及びこれと対応する平行調の各短音階を対として全部で１２種類となる。図１は、ハ長調及びイ短調（自然的短音階）の音階変換表の例を示す。
【００２３】
音階変換表は、図１に示すように、調名表示領域１０、勘所番号表示領域２０、弦図３０、鍵盤図４０、調弦方法記入領域５０及び音階対応記入表６０を有して構成されている。
【００２４】
調名表示領域１０は、長音階の調名（「ハ長調／Ｃ  ｍａｉｊｏｒ」）を表示する表示領域１１と、短音階の調名（「イ短調／Ａ  ｍｉｎｏｒ」）を表示する表示領域１２と、ト音記号及びヘ音記号並びに必要な調号を表示する表示領域１３と、長音階の音符が配置された五線譜１４と、短音階の音符が配置された五線譜１５とを有する。
【００２５】
勘所番号表示領域２０には、勘所番号として「０」「１」「２」「３」「＃」「４」「５」「６」「７」「８」「９」「♭」「１０」「１１」「１２」「１３」「１＃」「１４」「１５」「１６」「１７「１８」「１９」が表示されている。
【００２６】
鍵盤図４０には、２５個の白鍵４１が横方向に配列されている。左から１〜４番目の白鍵４１の各間に３つの黒鍵４２が、５〜７番目の白鍵４１の各間に２つの黒鍵４２が、８〜１１番目の白鍵４１の各間に３つの黒鍵４２が、１２〜１４番目の白鍵４１の各間に２つの黒鍵４２が、１５〜１８番目の白鍵４１の各間に３つの黒鍵４２が、１９〜２１番目の白鍵４１の各間に２つの黒鍵４２が、２２〜２５番目の白鍵４１の各間に３つの黒鍵４２が配列されている。各白鍵４１上には、左から「Ｆファ」「Ｇソ」「Ａラ」「Ｂシ」「Ｃド」「Ｄレ」「Ｅミ」「Ｆファ」「Ｇソ」「Ａラ」「Ｂシ」「Ｃド」「Ｄレ」「Ｅミ」「Ｆファ」「Ｇソ」「Ａラ」「Ｂシ」「Ｃド」「Ｄレ」「Ｅミ」「Ｆファ」「Ｇソ」「Ａラ」「Ｂシ」の文字が付されている。また、各黒鍵４２上には、左から「Ｆ＃Ｇ♭」「Ｇ＃Ａ♭」「Ａ＃Ｂ♭」「Ｃ＃Ｄ♭」「Ｄ＃Ｅ♭」「Ｆ＃Ｇ♭」「Ｇ＃Ａ♭」「Ａ＃Ｂ♭」「Ｃ＃Ｄ♭」「Ｄ＃Ｅ♭」「Ｆ＃Ｇ♭」「Ｇ＃Ａ♭」「Ａ＃Ｂ♭」「Ｃ＃Ｄ♭」「Ｄ＃Ｅ♭」「Ｆ＃Ｇ♭」「Ｇ＃Ａ♭」「Ａ＃Ｂ♭」の文字が付されている。これらは各鍵盤の音名を表している。すなわち、ハ長調又はイ短調における幹音（以下、本実施の形態において単に「幹音」という。）の鍵盤を白鍵４１で示し、ハ長調又はイ短調における派生音（以下、本実施の形態において単に「派生音」という。）の鍵盤を黒鍵４２で示している。
【００２７】
弦図３０は、三味線の一の糸に対応する記入領域３１と、二の糸に対応する記入領域３２と、三の糸に対応する記入領域３３とを有する。記入領域３１〜３３は、鍵盤図４０の音階方向に沿って配置されている。記入領域３１〜３３は、鍵盤図４０の各鍵盤に対応させて勘所番号を記入する区画３４を有する。すなわち、各記入領域３１〜３３は、２５個の白鍵４１及び１８個の黒鍵４２の４３個の鍵盤にそれぞれ対応する４３個の区画３４を有する。また、鍵盤図４０の派生音の鍵盤（黒鍵４２）に対応する区画３４は、鍵盤図４０の幹音の鍵盤（白鍵４１）に対応する区画３４とは表示態様が異なっている。図１の例では、幹音の区画３４が白色、派生音の区画３４がグレー色である。
【００２８】
調弦方法記入領域５０は、三味線の調弦方法を記入する記入領域５１と、一の糸の基音を記入する記入領域５２と、二の糸の基音を記入する記入領域５３と、三の糸の基音を記入する記入領域５４とを有する。記入領域５１では、調弦方法として「本調子」「二上り」「三下り」「六下り」「水調子」等からいずれか１つを選択し、これに印を記入する。
【００２９】
音階対応記入表６０は、三味線の一の糸に対応する記入領域６１と、二の糸に対応する記入領域６２と、三の糸に対応する記入領域６３とを有する。記入領域６１〜６３は、幹音ごとに、その幹音を記入する区画６４と、その幹音に対応する勘所番号を記入する区画６５とを対として有する。
【００３０】
次に、音階変換表の作成方法を説明する。
ハ長調の楽曲について音階変換表を作成する場合を説明する。
【００３１】
図２は、ハ長調及びイ短調の音階変換表の記入例を示す図である。
まず、調弦方法を記入する。例えば調弦方法が「二上り」である場合は、図２に示すように、記入領域５１において「二上り」の箇所に印を記入する。
【００３２】
次に、各糸の基音を記入する。例えば一の糸の基音が「ド」である場合は、図２に示すように、記入領域５２には「Ｃ」を記入する。そして、調弦方法が「二上り」であるので、記入領域５３には「Ｇ」を、記入領域５４には「Ｃ」をそれぞれ記入する。
【００３３】
次に、勘所番号表示領域２０の勘所番号を参照し、記入領域３１において、一の糸の基音「ド」の鍵盤に対応する区画３４に勘所番号「０」を記入し、これに続けて勘所番号「１」〜「１９」を右方向の区画３４に順に記入する。図２の例では、左から８〜３０番目までの各区画３４に「０」〜「１９」が順に記入されている。
【００３４】
次に、勘所番号表示領域２０の勘所番号を参照し、記入領域３２において、二の糸の基音「ソ」の鍵盤に対応する区画３４に勘所番号「０」を記入し、これに続けて勘所番号「１」〜「１９」を右方向の区画３４に順に記入する。図２の例では、左から１５〜３７番目までの各区画３４に「０」〜「１９」が順に記入されている。
【００３５】
次に、勘所番号表示領域２０の勘所番号を参照し、記入領域３３において、三の糸の基音「ド」の鍵盤に対応する区画３４に勘所番号「０」を記入し、これに続けて勘所番号「１」〜「１９」を右方向の区画３４に順に記入する。図２の例では、左から２０〜４２番目までの各区画３４に「０」〜「１９」が順に記入されている。
【００３６】
次に、記入領域６１において、左から１番目の区画６４に一の糸の基音「ド」を記入し、これに続けて「レ」から１オクターブ上の音域の「ラ」までを右方向の区画６４に順に記入する。すなわち、ハ長調の幹音を基音から順に記入する。そして、記入領域３１の記入内容を参照し、左から１番目の区画６５に「ド」の勘所番号「０」を記入し、これに続けて「レ」の勘所番号「２」から１オクターブ上の音域の「ラ」の勘所番号「１８」までを右方向の区画６５に順に記入する。記入領域３１において白色の区画３４が幹音の区画３４であるので、幹音に対応する一の糸の勘所番号を記入領域３１から容易に抽出することができる。
【００３７】
次に、記入領域６２において、左から１番目の区画６４に二の糸の基音「ソ」を記入し、これに続けて「ラ」から１オクターブ上の音域の「ファ」までを右方向の区画６４に順に記入する。そして、記入領域３２の記入内容を参照し、左から１番目の区画６５に「ソ」の勘所番号「０」を記入し、これに続けて「ラ」の勘所番号「２」から１オクターブ上の音域の「ファ」の勘所番号「１９」までを右方向の区画６５に順に記入する。記入領域３２において白色の区画３４が幹音の区画３４であるので、幹音に対応する二の糸の勘所番号を記入領域３２から容易に抽出することができる。
【００３８】
次に、記入領域６３において、左から１番目の区画６４に三の糸の基音「ド」を記入し、これに続けて「レ」から１オクターブ上の音域の「ラ」までを右方向の区画６４に順に記入する。そして、記入領域３３の記入内容を参照し、左から１番目の区画６５に「ド」の勘所番号「０」を記入し、これに続けて「レ」の勘所番号「２」から１オクターブ上の音域の「ラ」の勘所番号「１８」までを右方向の区画６５に順に記入する。記入領域３３において白色の区画３４が幹音の区画３４であるので、幹音に対応する三の糸の勘所番号を記入領域３３から容易に抽出することができる。
【００３９】
以上により音階変換表が完成する。ハ長調の五線譜を参照して三味線を演奏する場合は、音階変換表を参照すれば、五線譜から勘所を容易に把握することができる。
【００４０】
次に、本実施の形態の効果を説明する。
本実施の形態では、音階変換表は、白鍵４１及び黒鍵４２を配列した鍵盤図４０と、鍵盤図４０の音階方向に沿って三味線の各糸にそれぞれ対応する記入領域３１〜３３が配置された弦図３０とを備え、記入領域３１〜３３は、鍵盤図４０の各鍵盤に対応させて勘所番号を記入する区画３４を有し、幹音の区画３４と派生音の区画３４とは表示態様が異なっている。
【００４１】
これにより、鍵盤図４０の各鍵盤に対応させて区画３４に勘所番号を記入することにより鍵盤の音と勘所の対応関係を把握することができる。また、幹音と派生音で区画３４の表示態様が異なるので、幹音に対応する勘所を派生音と区別して把握することができる。したがって、従来に比して、五線譜を参照して三味線を演奏することを支援することができる。また、初心者でも簡単に作成することができる。
【００４２】
さらに、本実施の形態では、幹音を記入する区画６４と、これに対応させて勘所番号を記入する区画６５とを有する音階対応記入表６０を備える。
【００４３】
これにより、幹音とこれに対応する勘所番号を弦図３０から抽出し、幹音と勘所番号を対応させて音階対応記入表６０に記入することにより幹音と勘所の対応関係を把握することができる。
【００４４】
本実施の形態において、弦図３０は、発明２のキー図に対応し、勘所番号は、発明１乃至３のキー識別情報に対応している。
【００４５】
〔第２の実施の形態〕
次に、本発明の第２の実施の形態を説明する。図３及び図４は、本実施の形態を示す図である。なお、以下、上記第１の実施の形態と異なる部分についてのみ説明し、重複する部分については同一の符号を付して説明を省略する。
【００４６】
まず、本実施の形態の構成を説明する。
図３は、ト長調及びホ短調の音階変換表の構成を示す図である。
【００４７】
音階変換表は、図３に示すように、調名表示領域１０、勘所番号表示領域２０、弦図３０、鍵盤図４０、調弦方法記入領域５０及び音階対応記入表６０を有して構成されている。
【００４８】
調名表示領域１０は、長音階の調名（「ト長調／Ｇ  ｍａｉｊｏｒ」）を表示する表示領域１１と、短音階の調名（「ホ短調／Ｅ  ｍｉｎｏｒ」）を表示する表示領域１２と、ト音記号及びヘ音記号並びに必要な調号（＃１つ）を表示する表示領域１３と、長音階の音符が配置された五線譜１４と、短音階の音符が配置された五線譜１５とを有する。
【００４９】
鍵盤図４０には、２５個の白鍵４１及び１８個の黒鍵４２が横方向に配列されている。上記第１の実施の形態と異なるのは、ト長調又はホ短調における幹音（以下、本実施の形態において単に「幹音」という。）の鍵盤を白鍵４１で示し、ト長調又はホ短調における派生音（以下、本実施の形態において単に「派生音」という。）の鍵盤を黒鍵４２で示している点である。すなわち、左から２、３、５、７、８、１０、１２、１４、１５、１７、１９、２０、２２、２４、２６、２７、２９、３１、３２、３４、３６、３８、３９、４１、４３番目が白鍵４１であり、１、４、６、９、１１、１３、１６、１８、２１、２３、２５、２８、３０、３３、３５、３７、４０、４２番目が黒鍵４２である。
【００５０】
また、弦図３０において、鍵盤図４０の派生音の鍵盤（黒鍵４２）に対応する区画３４は、鍵盤図４０の幹音の鍵盤（白鍵４１）に対応する区画３４とは表示態様が異なっている。図３の例では、幹音の区画３４が白色、派生音の区画３４がグレー色である。
【００５１】
次に、音階変換表の作成方法を説明する。
ト長調の楽曲について音階変換表を作成する場合を説明する。
【００５２】
図４は、ト長調及びホ短調の音階変換表の記入例を示す図である。
まず、調弦方法を記入する。例えば調弦方法が「二上り」である場合は、図４に示すように、記入領域５１において「二上り」の箇所に印を記入する。
【００５３】
次に、各糸の基音を記入する。例えば一の糸の基音が「シ」である場合は、図４に示すように、記入領域５２には「Ｂ」を記入する。そして、調弦方法が「二上り」であるので、記入領域５３には「Ｆ＃」を、記入領域５４には「Ｂ」をそれぞれ記入する。
【００５４】
次に、勘所番号表示領域２０の勘所番号を参照し、記入領域３１において、一の糸の基音「シ」の鍵盤に対応する区画３４に勘所番号「０」を記入し、これに続けて勘所番号「１」〜「１９」を右方向の区画３４に順に記入する。
【００５５】
次に、勘所番号表示領域２０の勘所番号を参照し、記入領域３２において、二の糸の基音「ファ＃」の鍵盤に対応する区画３４に勘所番号「０」を記入し、これに続けて勘所番号「１」〜「１９」を右方向の区画３４に順に記入する。
【００５６】
次に、勘所番号表示領域２０の勘所番号を参照し、記入領域３３において、三の糸の基音「シ」の鍵盤に対応する区画３４に勘所番号「０」を記入し、これに続けて勘所番号「１」〜「１９」を右方向の区画３４に順に記入する。
【００５７】
次に、記入領域６１において、左から１番目の区画６４に一の糸の基音「シ」を記入し、これに続けて「ド」から１オクターブ上の音域の「ラ」までを右方向の区画６４に順に記入する。すなわち、ト長調の幹音を基音から順に記入する。そして、記入領域３１の記入内容を参照し、左から１番目の区画６５に「シ」の勘所番号「０」を記入し、これに続けて「ド」の勘所番号「１」から１オクターブ上の音域の「ラ」の勘所番号「１９」までを右方向の区画６５に順に記入する。
【００５８】
次に、記入領域６２において、左から１番目の区画６４に二の糸の基音「ファ＃」を記入し、これに続けて「ソ」から１オクターブ上の音域の「ミ」までを右方向の区画６４に順に記入する。そして、記入領域３２の記入内容を参照し、左から１番目の区画６５に「ファ＃」の勘所番号「０」を記入し、これに続けて「ソ」の勘所番号「１」から１オクターブ上の音域の「ミ」の勘所番号「１９」までを右方向の区画６５に順に記入する。
【００５９】
次に、記入領域６３において、左から１番目の区画６４に三の糸の基音「シ」を記入し、これに続けて「ド」から１オクターブ上の音域の「ラ」までを右方向の区画６４に順に記入する。そして、記入領域３３の記入内容を参照し、左から１番目の区画６５に「シ」の勘所番号「０」を記入し、これに続けて「ド」の勘所番号「１」から１オクターブ上の音域の「ラ」の勘所番号「１９」までを右方向の区画６５に順に記入する。
【００６０】
以上により音階変換表が完成する。ト長調の五線譜を参照して三味線を演奏する場合は、音階変換表を参照すれば、五線譜から勘所を容易に把握することができる。
【００６１】
〔変形例〕
なお、上記第１及び第２の実施の形態においては、弦図３０及び鍵盤図４０を対応づけて表示したが、これに限らず、図５に示すように、鍵盤図４０の各鍵盤に対応させてその鍵盤の音の音符が配置された五線譜７０を設けることもできる。これにより、鍵盤の音、その音階及び勘所の対応関係を把握することができる。
【００６２】
図５は、ハ長調及びイ短調の五線譜を加えた音階変換表の構成を示す図である。
また、上記第１及び第２の実施の形態並びにその変形例において、弦図３０は、３つの記入領域３１〜３３を設けたが、これに限らず、１つ又は２つの記入領域を設けた構成であってもよいし、例えば弦が４つ以上であれば４つ以上の記入領域を設けることもできる。
【００６３】
また、上記第１及び第２の実施の形態並びにその変形例において、音階対応記入表６０は、３つの記入領域６１〜６３を設けたが、これに限らず、１つ又は２つの記入領域を設けた構成であってもよいし、例えば弦が４つ以上であれば４つ以上の記入領域を設けることもできる。この場合、弦図３０の記入領域の数とは必ずしも対応していなくてもよい。
【００６４】
また、上記第１及び第２の実施の形態並びにその変形例においては、短音階として自然的短音階を採用したが、これに限らず、弦図３０及び鍵盤図４０の幹音に対応する区画３４と派生音に対応する区画３４の組み合わせを変えることにより和声的短音階又は旋律的短音階はもちろん、あらゆるスケールを採用することもできる。
【００６５】
また、上記第１及び第２の実施の形態並びにその変形例において、表示領域１３には、ト音記号及びヘ音記号を表示したが、これに限らず、洋楽弦楽器の五線譜を採用する場合はハ音記号を表示してもよい。
【００６６】
また、上記第１及び第２の実施の形態並びにその変形例においては、三味線用の音階変換表を作成する場合について本発明を適用したが、これに限らず、本発明の主旨を逸脱しない範囲で他の場合にも適用可能である。例えば、五線譜以外の記譜法による楽器、その他の移調楽器用の音階変換表を作成する場合について本発明を適用することができる。
【符号の説明】
【００６７】
１０…調名表示領域、  １１〜１３…表示領域、  １４〜１５、７０…五線譜、  ２０…勘所番号表示領域、  ３０…弦図、  ３１〜３３、５１〜５４、６１〜６３…記入領域、  ３４、６４、６５…区画、  ４０…鍵盤図、  ４１…白鍵、  ４２…黒鍵、  ５０…調弦方法記入領域、  ６０…音階対応記入表
【図１】
2019120775.tif 000003
【図２】
2019120775.tif 000004
【図３】
2019120775.tif 000005
【図４】
2019120775.tif 000006
【図５】
2019120775.tif 000007